(57)【要約】      （修正有）【課題】フリップ式電子製品の２回転軸構造を提供する。【解決手段】電子製品のベースと上蓋との間の両側にそれぞれ回転軸装置を設け、回転軸装置は、軸ブッシング１と回転軸組２と、摺動ブロック３と連桿組４とを含む。回転軸組は、第１回転軸２１と軸ブッシングの内部に枢接する第２回転軸２２とを含む。第１回転軸と第２回転軸の一側にそれぞれらせん状の押さえ溝２１３と制限溝２２３を設け、摺動ブロックを第１回転軸と第２回転軸との間に設け、かつ摺動ブロックの両端に第１突起部３４と第２突起部を凸設し、第１突起部と第２突起部がそれぞれ押さえ溝と制限溝の内部に位置し、連桿組によって、第１回転軸の枢転角度と軸ブッシングが第２回転軸を巡らす回転角度との誤差範囲を制限して置き、電子製品両側回転軸装置における２つの第１回転軸の枢転角度の誤差と、２つの軸ブッシングが第２回転軸を巡らす回転角度の誤差を一定範囲に維持させる。【選択図】図４
2016200234.tif 000002
【特許請求の範囲】
【請求項１】
軸ブッシングと回転軸組と摺動ブロックとを含む、フリップ式電子製品の２回転軸構造であって、前記回転軸組は第１回転軸と第２回転軸とを含み、前記第１回転軸の両側に第１軸部と第１案内部とを形成し、前記第１案内部の表面にらせん状の押さえ溝を凹設し、かつ前記第１軸部を前記軸ブッシングに枢接し、前記第１案内部を前記軸ブッシングの一側より突き出して、前記第２回転軸の両側に第２軸部と第２案内部を形成し、前記第２案内部の表面にらせん状の制限溝を凹設し、前記制限溝の両側に第１側壁と第２側壁を形成し、かつ前記第２軸部を前記軸ブッシングに枢接し、前記第２案内部は前記軸ブッシングが前記第１案内部と同じ側面より突き出して、前記摺動ブロックは前記回転軸組の前記第１案内部と前記第２案内部との間に位置され、
前記摺動ブロックは本体を有し、前記本体の上下両端の表面にはそれぞれに第１突起部と第２突起部を凸設し、前記第１突起部は前記回転軸組の前記押さえ溝に位置し、前記第２突起部は前記回転軸組の前記制限溝に位置していて、かつ前記第１側壁と前記第２側壁の幅が前記第２突起部の幅より大きく、前記第２突起部を前記第１側壁に係止したとき、前記第２突起部と前記第２側壁との間に移動空間が形成され、外力によって前記第１回転軸に枢転力量を加えるとき、前記第１回転軸が枢転して、前記押さえ溝によって前記第１突起部を押し込み、前記摺動ブロックを前記第２側壁の方向に移動させ、前記第２突起部が前記第２側壁に係止されているとき、前記第２突起部が前記第１側壁との間で制限空間を形成し、外力によって前記第１回転軸に枢転力量を加えるとき、前記第１回転軸は回転することが出来ないため、前記第１回転軸によって前記摺動ブロックを連動して、前記第２回転軸を巡らして、前記第２突起部を前記第１側壁に寄せ付けるように構成したことを特徴とする、フリップ式電子製品の２回転軸構造。
【請求項２】
前記回転軸組は、第１固定具と第２固定具と第３固定具と固定棒とをさらに含み、前記第１固定具と前記第２固定具を前記軸ブッシングの両側に設け、前記第３固定具を前記第２固定具が前記第１固定具から離れる他側に設け、前記固定棒の両端をそれぞれ前記第２固定具と前記第３固定具の両端との間に接続し、前記摺動ブロックの前記本体に前記本体両側の表面を貫く案内穴を設け、前記固定棒は前記案内穴に位置することを特徴とする、請求項１記載のフリップ式電子製品の２回転軸構造。
【請求項３】
軸ブッシングと回転軸組と摺動ブロックと連桿組とを含む、フリップ式電子製品の２回転軸構造であって、
前記回転軸組は、第１回転軸と第２回転軸とを含み、前記第１回転軸の両側に第１軸部と第１案内部とを形成し、前記第１案内部の表面にらせん状の押さえ溝を凹設し、かつ前記第１軸部を前記軸ブッシングに枢接し、前記第１案内部は前記軸ブッシングの一側より突き出し、前記第２回転軸の両側に第２軸部と第２案内部とを形成し、前記第２案内部の表面にらせん状の制限溝を凹設し、前記制限溝の両側に第１側壁と第２側壁とを形成し、かつ前記第２軸部を前記軸ブッシングに枢接せしめ、前記第２案内部は前記軸ブッシングが前記第１案内部と同じ側面から露出され、
前記摺動ブロックは、前記回転軸組の前記第１案内部と前記第２案内部との間に位置し、前記摺動ブロックは本体を有し、前記本体の上下両端の表面にそれぞれ第１突起部と第２突起部を凸設し、前記第１突起部は前記回転軸組の押さえ溝に位置し、前記第２突起部は前記回転軸組の制限溝に位置し、かつ前記第１側壁と前記第２側壁の幅が前記第２突起部の幅より大きく、
前記連桿組は、第１回転具と第２回転具と制限具を含み、前記第１回転具表面の中央場所に第１接続穴を設け、前記第１接続穴を前記回転軸組の前記第１軸部の末端に常時接続し、かつ前記第１回転具の表面は前記第１接続穴の一側に第１制限柱を凸設し、前記第２回転具の表面の中央場所に第２接続穴を設け、前記第２接続穴を前記回転軸組の前記第２軸部の末端に常時接続していて、かつ前記第２回転具の表面は前記第２接続穴の一側に第２制限柱を凸設し、前記制限具の表面の両端はそれぞれに第１取付穴と第２取付穴を設け、第１制限柱と前記第２制限柱は、それぞれ前記第１取付穴と前記第２取付穴に位置し、前記第１取付穴が前記第２取付穴の端部付近の場所に第１係止端を形成し、前記第２取付穴の端部から離れる場所に第２係止端を形成し、かつ前記第１係止端と前記第２係止端との距離が前記第１制限柱の外径より大きく、
前記第２突起部が前記第１側壁に係止し、前記第２突起部と前記第２側壁との間に移動空間を形成し、連桿組の前記第１制限柱が第２係止端に係止し、外力によって前記第１回転軸に枢転力量を加えたとき、前記第１回転軸が枢転して前記第１案内部より前記第１突起部を押し込み、前記摺動ブロックを前記第２側壁の方向に移動すると同時に、前記第１回転軸が前記第１回転具を連動して回転させ、前記第１制限柱と前記第２制限柱との間の距離を小さくして、前記第１制限柱を前記第１係止端に移動させ、前記第２突起部が前記第２側壁に係止し、前記第２突起部が前記第１側壁と制限空間を形成して、前記連桿組の前記第１制限柱を前記第１係止端に係止し、外力によって、前記第１回転に枢転力量を加えたとき、前記第１回転軸は回転できないため、前記第１回転軸によって前記摺動ブロックに連動し、前記第２回転軸を巡らすことにより、前記摺動ブロックを前記第２回転軸に巡らして、前記第２突起部を前記第１側壁に近寄せると同時に、前記第１回転軸が前記第１回転具を連動して、前記第２回転軸を巡らし、前記第１制限柱と前記第２制限柱との間の距離を増大させて、前記第１制限柱を前記第２係止端に移動させることを特徴とする、フリップ式電子製品の２回転軸構造。
【請求項４】
前記回転軸組は、第１固定具と第２固定具と第３固定具と固定棒とをさらに含み、前記第１固定具と前記第２固定具を前記軸ブッシングの両側に設け、前記第３固定具を前記第２固定具が前記第１固定具を離れる他側に設け、前記固定棒の両端をそれぞれ前記第２固定具と前記第３固定具の両端との間に接続し、前記摺動ブロックの前記本体に前記本体両側の表面を貫く案内穴を設け、前記固定棒は前記案内穴に位置することを特徴とする、請求項３記載のフリップ式電子製品の２回転軸構造。
【発明の詳細な説明】
【技術分野】
【０００１】
本発明は、特にフリップ式電子製品のベースと上蓋との間に回転軸装置を設けることによって、電子製品の上蓋を連動して回転軸装置をベースにて捲り上げる回転軸構造のフリップ式電子製品の２回転軸構造に関する。
【背景技術】
【０００２】
現在はノートパソコン、スマートフォンなどのフリップ式電子製品は、ベースと上蓋の組み合せで構成されている。そのうち、一部のフリップ式電子製品の上蓋をベースの底面に捲り上げることができ、フリップ式電子製品をタブレットＰＣとして使用するか、または２枚のタッチスクリーンから組み合わせられた折り畳み式タブレットＰＣを１８０度に開いて利用することも出来る。一般に、タブレットＰＣに使用されるフリップ式電子製品は、２軸の回転軸装置によってフリップ操作を達成する。この種の回転軸装置は軸ブッシングによって、第１回転軸と第２回転軸を枢接し、電子製品の上蓋とベースをそれぞれ第１回転軸と第２回転軸につないで、上蓋をベースの底面に捲るか又は上蓋をベースの底面からベース表面にかぶせることができる。
【発明の概要】
【発明が解決しようとする課題】
【０００３】
公知技術による回転軸装置の第１回転軸と軸ブッシングの回転に関する回転方式は、スクリュー式と連桿式の２種類に分けられる。そのうち、スクリュー式の回転軸装置は、主に第１回転軸と第２回転軸にらせん状の案内溝を設けると共に、第１回転軸と第２回転軸との間に滑り駒を設けることによって、滑り駒両端の突起部をそれぞれ案内溝に納める。一方、連桿式の回転軸装置は、主に連桿を第１回転軸と第２回転軸の側面に枢接する。しかし、スクリュー式回転軸装置または連桿式回転軸装置であっても、設計者はいずれの設計も極めて重要な問題を見落としている。つまり、回転軸装置は電子製品の上蓋とベースとの間の両側に設けられ、２つの回転軸装置には連動機構を設けていない。上蓋の剛性も不足しているため、使用者が上蓋を捲り上げるときは、２つの回転軸装置が受ける力の釣り合いがとれない。そのためにスクリュー式回転軸装置では、２つの回転軸装置が受ける力の不均衡によって回転角度が異なり、上蓋の両側とベースとの間に形成される角度の違いも大きく、使用者に簡単に気付かれる。さらに、第１回転軸と、第２回転軸と、滑り駒が同時に作動するため、もし２回転軸装置の回転角度が異なると、スムーズに捲り上げることはできなくなり、回転軸装置の摩耗が大きくなり、使用寿命が短縮される。
【図面の簡単な説明】
【０００４】
【図１】本発明の回転軸装置の上面図である。
【図２】本発明の回転軸装置の立体外観図である。
【図３】本発明の回転軸装置の側視図である。
【図４】本発明の回転軸装置の立体分解図である。
【図５】本発明の摺動ブロックの立体断面図である。
【図６】本発明の回転軸装置の動作を示す図である。
【図７】本発明の回転軸組と摺動ブロックの作動を示す図である（その１）。
【図８】本発明の回転軸組と摺動ブロックの作動を示す図である（その２）。
【図９】本発明を適用された電子製品の回転動作を示す図である。
【図１０】本発明の回転軸組と連桿の作動を示す図である（その１）。
【図１１】本発明の回転軸組と連桿の作動を示す図である（その２）。
【発明を実施するための形態】
【０００５】
以下、添付図面を参照して本発明の実施の形態を詳細に説明する。
【実施例】
【０００６】
図１ないし図５を参照する。本発明は電子製品９のベース９１と上蓋９２との間の両側にそれぞれ回転軸装置１０、１０´を設け、回転軸装置１０は軸ブッシング１と、回転軸組２と、摺動ブロック３と、連桿組４とを含む。そのうち、
【０００７】
軸ブッシング１は基部１１を有し、基部１１上方の一側は他側に屈折して第１押さえ部１２を延在し、第１押さえ部１２と基部１１との間に第１回転軸空間１３を形成し、基部１１下方の一側が他側に屈折して、第２押さえ部１５を延在させることによって、第２押さえ部１５と基部１１との間で第２回転軸空間１６を形成する。さらに、第１押さえ部１２の末端と基部１１との間に第１切り欠き１４を形成し、第２押さえ部１５の末端と基部１１との間に第２切り欠き１７を形成して、第１切り欠き１４と第２切り欠き１７は基部１１のそれぞれ異なる側面に位置する。
【０００８】
回転軸組２は、第１回転軸２１と第２回転軸２２と第１固定具２３と第２固定具２４と第３固定具２５と固定ロッド２６とを含む。第１回転軸２１の両側に、第１軸部２１１と第１案内部２１２とを形成し、第１案内部２１２の表面にらせん状の押さえ溝２１３を凹設していて、かつ第１軸部２１１を軸ブッシング１の第１回転軸空間１３に枢接せしめる。第１案内部２１２は軸ブッシング１の一側から突き出して、第２回転軸２２の両側に第２軸部２２１と第２案内部２２２とを形成する。第２案内部２２２の表面にらせん状の制限溝２２３を凹設し、制限溝２２３の両側に第１側壁２２４と第２側壁２２５とを形成し、押さえ溝２１３と制限溝２２３を対向するように設置していて、かつ第２軸部２２１を軸ブッシング１の第２回転軸空間１６に枢接せしめる。第２案内部２２２を第１案内部２１２と同じ側面より露出せしめる。さらに、第１固定具２３と、第２固定具２４を軸ブッシングの１の両側に設けていて、かつ第１固定具２３と第２固定具２４表面の両端に、それぞれ第１取付穴（２３１、２４１）と第２取付穴（２３２、２４２）を設け、第１取付穴（２３１、２４１）と、第２取付穴（２３２、２４２）を、それぞれ軸ブッシング１の第１回転軸空間１３と第２回転軸空間１６に対向するように設け、第１回転軸２１の第１軸部２１１の両側は第１取付穴（２３１、２４１）に位置し、第２回転軸２２の第２軸部２２１の両側は第２取付穴（２３２、２４２）に位置する。第３固定具２５は、第２固定具２４が第１固定具２３を離れる他側に設け、第３固定具２５表面の両端には、それぞれ第１取付穴２５１と第２取付穴２５２を設け、第１回転軸２１の第１案内部２１２の末端と、第２回転軸２２の第２案内部２２２の末端は、それぞれ第３固定具２５の第１取付穴２５１と第２取付穴２５２に位置する。さらに、第３固定具２５は、第２固定具２４が第１固定具２３から離れる他側に設けられ、固定ロッド２６の両端を、それぞれ第２固定具２４と第３固定具２５の両端の間に接続する。
【０００９】
摺動ブロック３を回転軸組２の第２案内部２２２と第１案内部２１２との間に設け、摺動ブロック３は本体３１を有し、本体３１は本体３１両側の表面を貫く案内穴３１１を設け、回転軸組２の固定ロッド２６は案内穴３１１に位置する。本体３１上下両端の表面に、それぞれ第１制限溝３２と第２制限溝３３を凹設し、第１制限溝３２の内部に第１突起部３４を凸設し、第１突起部３４は回転軸組２の押さえ溝２１３に位置し、第２制限溝３３の内部に第２突起部３５を凸設し、第２突起部３５は回転軸組２の制限溝２２３に位置する。
【００１０】
連桿組４は、第１回転具４１と第２回転具４２と制限具４３とを含む。第１回転具４１表面の中央場所に第１接続穴４１１を設け、第１接続穴４１１を回転軸組２の第１軸部２１１の末端に常時接続していて、かつ第１回転具４１の表面には、接続穴４１１の一側に第１制限柱４１２を凸設し、第２回転具４２表面の中央場所に第２接続穴４２１を設ける。第２接続穴４２１を回転軸組２の第２軸部２２１の末端に常時接続していて、かつ第２回転具４２の表面には、第２接続穴４２１の一側に第２制限柱４２２を凸設する。制限具４３表面の両端は、それぞれに第１取付穴４３１と第２取付穴４３２を設け、第１制限柱４１２と第２制限柱４２２は、それぞれ第１取付穴４３１と第２取付穴４３２に位置する。第１取付穴４３１は第２取付穴４３２の端部付近場所に第１係止端４３１１を形成し、第２取付穴４３２の端部から離れる場所に第２係止端４３１２を形成する。かつ第１係止端４３１１と第２係止端４３１２との距離は第１制限柱４１２の外径より大きい。
【００１１】
引き続き、図１と図６ないし図９を参照する。使用者が上蓋９２をベース９１から離れる方向に捲るとき、第１回転軸２１に枢転力量を加えることによって、軸ブッシング１を第２回転軸２２に巡らす偏移力が引き起こされる。図７に示すように、第２突起部３５が第２側壁２２５に係止されているときに、第２突起部３５が第１側壁２２４と制限空間２２７を形成され、外力によって第１回転軸２１に枢転力量を加えると、第２突起部３５が第２側壁２２５に係止されていて、第１回転軸２１の押さえ溝２１３は第１突起部３４を押し込むことができないため、第１回転軸２１が摺動ブロック３と、軸ブッシング１を連動して第２回転軸２２に巡らして、第２突起部３５を制限溝２２３に沿って移動すると同時に、第１側壁２２４に係止し、第１側壁２２４に係止することによって、第２突起部３５と第２側壁２２５との間の間隔に移動空間２２６が形成される。このとき、第２突起部３５が第１側壁２２４の係止を受けて、第１回転軸２１は引き続き摺動ブロック３と軸ブッシング１を連動して第２回転軸２２に巡らせることによって、外力が第１回転軸２１に枢転力量を加えると、第１回転軸２１を枢転し、第１回転軸２１の押さえ溝２１３によって、第１突起部３４を押し込み、摺動ブロック３を第２側壁２２５の方向に移動させると共に、第２側壁２２５に係止し、第２突起部３５は第１側壁２２４と制限空間２２７が形成される。前述の操作を繰り返すことによって、第１回転軸２１を枢転させると共に、軸ブッシング１と摺動ブロック３が第２回転軸２２を巡らして回転する交互に働き、第１回転軸２１の枢転角度及び軸ブッシング１と、摺動ブロック３が第２回転軸２２を巡らす回転角度を制限することによって、電子製品９両側の回転軸装置１０における２つの第１回転軸２１の枢転角度の誤差及び２つの軸ブッシング１が第２回転軸２２を巡らす回転角度の誤差を一定範囲に維持され、上蓋９２両側とベース９１との間の角度に過大な誤差を形成せず、しかも回転軸装置１０はスムーズに回転され、過大な誤差による不要な摩耗を防ぐことができる。さらに、図９に示すとおり、第１回転軸２１が固定角度により枢転した後に、軸ブッシング１と摺動ブロック３が第２回転軸２２の一定角度を巡らせ両者が交互に作動し、上蓋９２を捲らしてベース９１と平行したとき、軸ブッシング１も上蓋９２及びベース９１の表面と平行状態を形成し、使用者は電子製品９を机の表面に張り付けて使用することができ、上蓋９２またはベース９１が机の表面に張り付けられないことハプニングを発生しない。さらに、上蓋９２をベース９１の底面位置に捲らしたとき、軸ブッシング１と上蓋９２とベース９１が垂直を形成して、上蓋９２とベース９１の縁部が整一となり、側面の突き出しは見られない。
【００１２】
引き続き、図１と図６ないし図１１を参照する。第１回転軸２１が枢転するときに、第１回転具４１を連動して枢転することによって、第１制限柱４１２と第２制限柱４２２との間の距離が次第に大きくなり、第１回転軸２１が第２回転軸２２を巡らすことによって、第１制限柱４１２と第２制限柱４２２との間の距離が次第に小さくなり、第２突起部３５が第２側壁２２５に係止されているとき、第２突起部３５が第１側壁２２４と制限空間２２７を形成し、連桿組４の第１制限柱４１２が第１係止端４３１１に係止される。外力から第１回転軸２１に加える枢転力量は、第２突起部３５が第２側壁２２５に係止されているため、第１回転軸２１の押さえ溝２１３が第１突起部３４を押し込むことはできなく、第１制限柱４１２が第１係止端４３１１によって係止され、第２制限柱４２２に近寄せることはできず、第１回転軸２１は回転できなくなり、第１回転軸２１によって、軸ブッシング１と摺動ブロック３を連動し第２回転軸２２を巡らして、第２突起部３５を第１側壁２２４に近寄せる。さらに、第１回転軸２１が第１回転具４１を連動し第２回転軸２２を巡らして、第１制限柱４１２と第２制限柱４２２との間の距離を増大させ、第１制限柱４１２を第２係止端４３１２に移動すると同時に、第２係止端４３１２に係止される。一方、第２突起部３５が第１側壁２２４の係止を受けると同時に、第１制限柱４１２も第２係止端４３１２に係止され、第１回転軸２１は引き続き摺動ブロック３と、軸ブッシング１を連動して第２回転軸２２を巡らせることはできない。よって、外力から第１回転軸２１に加える枢転力量によって、第１回転軸２１を枢転させ、第１回転軸２１の押さえ溝２１３が第１突起部３４を押し込み、摺動ブロック３を第２側壁２２５の方向に移動して第２側壁２２５に係止されると、第２突起部３５は第１側壁２２４と制限空間２２７を形成し、第１回転軸２１が第１回転具４１を連動して枢転することによって、第１制限柱４１２と第２制限柱４２２との間の距離を次第に増大させて、第１制限柱４１２を第１係止端４３１１に係止する。前述動作を繰り返すことによって、第１回転軸２１を枢転させ、軸ブッシング１と摺動ブロック３が第２回転軸２２を巡らせて回転するように交互に作動される。本発明は連桿組４を設けることによって、仮に押さえ溝２１３または制限溝２２３の摩損によって誤差が発生していても、連桿組４はなお第１回転軸２１の枢転角度及び軸ブッシング１と摺動ブロック３が第２回転軸２２を巡らせる回転角度を精確に制限することができ、電子製品９両側の回転軸装置１０において、２つの第１回転軸２１の枢転角度の誤差及び２つの軸ブッシング１が第２回転軸２２を巡らせる回転角度の誤差を一定範囲に維持し、上蓋９２両側とベース９１との間に過大な角度誤差を防げる。
【符号の説明】
【００１３】
１０、１０´  回転軸装置
１       軸ブッシン
１１     基部
１２     第１押さえ部
１３     第１回転軸空間
１４     第１切欠き部
１５     第２押さえ部
１６     第２回転軸空間
１７     第２切欠き部
２       回転軸組
２１     第１回転軸
２１１   第１軸部
２１２   第１案内部
２１３   押さえ溝
２２     第２回転軸
２２１   第２軸部
２２２   第２案内部
２２３   制限溝
２２４   第１側壁
２２５   第２側壁
２２６   移動区間
２２７   制限空間
２３     第１固定具
２３１、２４１、２５１    第１取付穴
２３２、２４２、２５２    第２取付穴
２４     第２固定具
２５     第３固定具
２６     固定ロッド
３       摺動ブロック
３１     本体
３１１   案内穴
３２     第１制限溝
３３     第２制限溝
３４     第１突起部
３５     第２突起部
４       連稈組
４１     第１回転具
４１１   第１接続穴
４１２   第１制限柱
４２     第２回転具
４２１   第２接続穴
４２２   第２制限柱
４３     制限具
４３１   第１取付穴
４３１１ 第１係止端
４３１２ 第２係止端
４３２   第２取付穴
９       電子製品
９１     ベース
９２     上蓋
【図１】
2016200234.tif 000003
【図２】
2016200234.tif 000004
【図３】
2016200234.tif 000005
【図４】
2016200234.tif 000006
【図５】
2016200234.tif 000007
【図６】
2016200234.tif 000008
【図７】
2016200234.tif 000009
【図８】
2016200234.tif 000010
【図９】
2016200234.tif 000011
【図１０】
2016200234.tif 000012
【図１１】
2016200234.tif 000013
【手続補正書】
【提出日】平成27年5月26日(2015.5.26)
【手続補正１】
【補正対象書類名】明細書
【補正対象項目名】全文
【補正方法】変更
【補正の内容】
【発明の詳細な説明】
【技術分野】
【０００１】
本発明は、特にフリップ式電子製品のベースと上蓋との間に回転軸装置を設けることによって、電子製品の上蓋を連動して回転軸装置をベースにて捲り上げる回転軸構造のフリップ式電子製品の２回転軸構造に関する。
【背景技術】
【０００２】
現在のノートパソコン、スマートフォンなどのフリップ式電子製品は、ベースと上蓋の組み合せで構成されている。そのうち、一部のフリップ式電子製品の上蓋をベースの底面に捲り上げることができ、フリップ式電子製品をタブレットＰＣとして使用するか、または２枚のタッチスクリーンによって組み合わせた折り畳み式タブレットＰＣを１８０度に開いて利用することも出来る。一般に、タブレットＰＣに使用されるフリップ式電子製品は、２軸の回転軸装置によってフリップ操作を達成する。この種の回転軸装置は軸ブッシングによって、第１回転軸と第２回転軸を枢接し、電子製品の上蓋とベースがそれぞれ第１回転軸と第２回転軸につないで、上蓋をベースの底面に捲るか又は上蓋をベースの底面からベース表面にかぶせることができる。
【発明の概要】
【発明が解決しようとする課題】
【０００３】
公知技術による回転軸装置の第１回転軸と軸ブッシングの回転に関する回転方式は、スクリュー式と連桿式の２種類に分けられる。そのうち、スクリュー式の回転軸装置は、主に第１回転軸と第２回転軸にらせん状の案内溝を設けると共に、第１回転軸と第２回転軸との間に滑り駒を設けることによって、滑り駒両端の突起部をそれぞれ案内溝に納める。一方、連桿式の回転軸装置は、主に連桿を第１回転軸と第２回転軸の側面に枢接する。しかし、スクリュー式回転軸装置または連桿式回転軸装置であっても、設計者はいずれの設計も極めて重要な問題を見落としている。つまり、回転軸装置は電子製品の上蓋とベースとの間の両側に設けられ、２つの回転軸装置には連動機構を設けていない。上蓋の剛性も不足しているため、使用者が上蓋を捲り上げるときは、２つの回転軸装置が受ける力の釣り合いがとれない。そのためにスクリュー式回転軸装置では、２つの回転軸装置が受ける力の不均衡によって回転角度が異なり、上蓋の両側とベースとの間に形成される角度の違いも大きく、使用者に簡単に気付かれる。さらに、第１回転軸と、第２回転軸と、滑り駒が同時に作動するため、もし２回転軸装置の回転角度が異なると、スムーズに捲り上げることはできなくなり、回転軸装置の摩耗が大きくなり、使用寿命が短縮される。
【課題を解決するための手段】
【０００４】
本発明の主な目的は、らせん案内方式を利用し、回転軸装置の第１回転軸の枢転と、軸ブッシングが第２回転軸をめぐらす交互に作用して回動することによって、第１回転軸の枢転角度及び軸ブッシングが第２回転軸をめぐらす回動角度を制限して置き、回転軸装置を順調に稼働させ、過度な磨耗により寿命の短縮を避けると共に、電子製品両側の回転軸装置において、２つの回転軸に過大な枢転角度差と、２つの軸ブッシングが第２回転軸をめぐらす回動角度差を防ぎ、一定範囲に維持して置き、電子製品上蓋の両側とベースとの間に過大な角度差を引き起こさず、電子製品の上蓋とベースを展開して使用するときに、上蓋とベースの表面が平行になり、上蓋をベース底面に捲られたとき、上蓋とベースの側面が突き出すことなく整一になる。
【０００５】
本発明の次の目的は、連稈組を利用することによって、第１回転軸の枢転角度と、軸ブッシングが第２回転軸をめぐらす回動角度をさらに制限して、回転軸装置を向上させると共に、電子製品の上蓋の両側とベースとの間の過大な角度差を防止する。
【０００６】
前記目的を達成するため、本発明のフリップ式電子製品の２回転軸構造は、軸ブッシングと、回転軸組と、摺動ブロックと、を備える。回転軸組は、第１回転軸と第２回転軸とを含む、かつ、第１回転軸と第２回転軸の一側それぞれらせん状の押さえ溝と、らせん状制限溝を設けていて、かつ制限溝の両側に第１側壁と第２側壁とを形成し、摺動ブロックを第１回転軸と第２回転軸との間に取付け、摺動ブロックの両端に第１突起部と第２突起部を設け、第１突起部と第２突起部をそれぞれ摺動ブロックと制限溝の内部に位置し、制限溝の第１側壁と第２側壁の幅が第２突起部の幅より広く、第２突起部を第１側壁に係止したとき、第２突起部と第２側壁との間の間隔に移動空間が形成され、外力を加えて第１回転軸に枢転力を与えたとき、第１回転軸が枢転し、第１案内部が第１突起部を押し込むことによって、摺動ブロックを第２側壁方向に移動させ、第２突起部を第２側壁に係止したとき、第２突起部が第１側壁との間に制限空間を形成し、外力を加えて、第１回転軸に枢転力を与えたときに、第１回転軸は動くことができないため、第１回転軸によって摺動ブロックを連動して、第２回転軸をめぐらす、第２突起部を第１側壁に近寄せる。
【０００７】
前述フリップ式電子製品の２回転軸構造の回転軸組の一側に連稈組を設けられ、連稈組は、第１回転具と第２回転具と制限具を含む。第１回転具が常時に回転軸組の第１軸部の末端に接続していて、かつ第１回転具の表面は第１接続穴の一側に第１制限柱を凸設し、第２回転具が常時に回転軸組の第２軸部の末端に接続していて、かつ第２回転具の表面は第２接続穴の一側第２制限柱を設け、制限柱表面の両端にそれぞれ第１制限穴と、第２制限穴を設け、第１制限柱と第２制限柱がそれぞれ第１制限穴と第２制限穴の内部に位置し、第１制限穴が第２制限穴の近端に第１係止端を形成し、第２制限穴の遠端に第２係止端を形成していて、かつ第１係止端と第２係止端の距離が第１制限柱の外径より大きい。第２突起部を第１側壁に係止したとき、連稈組の第１制限柱が第２係止端に係止されるため、外力を第１回転軸に枢転動力を加えると、第１回転軸が枢転して、第１回転具を回転させ、第１制限柱と第２制限柱との間の距離を縮小して、第１制限柱を第１係止端に向かって移動する。第２突起部を第２側壁に係止したとき、連稈組の第１制限柱が第１係止端に係止され、外力を第１回転軸に枢転動力を加えると、第１回転軸は動くことができないため、第１回転軸が第２回転軸をめぐらすことによって、第１制限柱と第２制限柱との間の距離を増大させ、第１制限柱を第２係止端に向かって移動される。
【図面の簡単な説明】
【０００８】
【図１】本発明の回転軸装置の上面図である。
【図２】本発明の回転軸装置の立体外観図である。
【図３】本発明の回転軸装置の側視図である。
【図４】本発明の回転軸装置の立体分解図である。
【図５】本発明の摺動ブロックの立体断面図である。
【図６】本発明の回転軸装置の動作を示す図である。
【図７】本発明の回転軸組と摺動ブロックの作動を示す図である（その１）。
【図８】本発明の回転軸組と摺動ブロックの作動を示す図である（その２）。
【図９】本発明を適用された電子製品の回転動作を示す図である。
【図１０】本発明の回転軸組と連桿の作動を示す図である（その１）。
【図１１】本発明の回転軸組と連桿の作動を示す図である（その２）。
【発明を実施するための形態】
【０００９】
以下、添付図面を参照して本発明の実施の形態を詳細に説明する。
【実施例】
【００１０】
図１ないし５を参照する。本発明は電子製品９のベース９１と上蓋９２との間の両側にそれぞれ回転軸装置１０、１０’を設け、回転軸装置１０は軸ブッシング１と、回転軸組２と、摺動ブロック３と、連桿組４とを含む。そのうち、
【００１１】
軸ブッシング１は基部１１を有し、基部１１上方の一側は他側に屈折して第１押さえ部１２を延在し、第１押さえ部１２と基部１１との間に第１回転軸空間１３を形成し、基部１１下方の一側が他側に屈折して、第２押さえ部１５を延在することによって、第２押さえ部１５と基部１１との間で第２回転軸空間１６を形成する。さらに、第１押さえ部１２の末端と基部１１との間に第１切り欠き１４を形成し、第２押さえ部１５の末端と基部１１との間に第２切り欠き１７を形成して、第１切り欠き１４と第２切り欠き１７は基部１１のそれぞれ異なる側面に位置する。
【００１２】
回転軸組２は、第１回転軸２１と第２回転軸２２と第１固定具２３と第２固定具２４と第３固定具２５と固定ロッド２６とを含む。第１回転軸２１の両側に、第１軸部２１１と第１案内部２１２とを形成し、第１案内部２１２の表面にらせん状の押さえ溝２１３を凹設していて、かつ第１軸部２１１を軸ブッシング１の第１回転軸空間１３に枢接せしめる。第１案内部２１２は軸ブッシング１の一側から突き出して、第２回転軸２２の両側に第２軸部２２１と第２案内部２２２とを形成する。第２案内部２２２の表面にらせん状の制限溝２２３を凹設し、制限溝２２３の両側に第１側壁２２４と第２側壁２２５とを形成し、押さえ溝２１３と制限溝２２３を対向するように設置していて、かつ第２軸部２２１を軸ブッシング１の第２回転軸空間１６に枢接せしめる。第２案内部２２２を軸ブッシング１と同じ側面より露出せしめる。さらに、第１固定具２３と、第２固定具２４を軸ブッシングの１の両側に設けていて、かつ第１固定具２３と第２固定具２４表面の両端に、それぞれ第１取付穴（２３１、２４１）と第２取付穴（２３２、２４２）を設け、第１取付穴（２３１、２４１）と、第２取付穴（２３２、２４２）を、それぞれ軸ブッシング１の第１回転軸空間１３と第２回転軸空間１６に対向するように設け、第１回転軸２１の第１軸部２１１の両側は第１取付穴（２３１、２４１）に位置し、第２回転軸２２の第２軸部２２１の両側は第２取付穴（２３２、２４２）に位置する。第３固定具２５は、第２固定具２４が第１固定具２３を離れる他側に設け、第３固定具２５表面の両端は、それぞれ第１取付穴２５１と第２取付穴２５２を設け、第１回転軸２１の第１案内部２１２の末端と、第２回転軸２２の第２案内部２２２の末端は、それぞれ第３固定具２５の第１取付穴２５１と第２取付穴２５２に位置する。さらに、第３固定具２５は、第２固定具２４が第１固定具２３から離れる他側に設けられ、固定ロッド２６の両端を、それぞれ第２固定具２４と第３固定具２５の両端の間に接続する。
【００１３】
摺動ブロック３を回転軸組２の第２案内部２２２と第１案内部２１２との間に設け、摺動ブロック３は本体３１を有し、本体３１は本体３１両側の表面を貫く案内穴３１１を設けられ、回転軸組２の固定ロッド２６は案内穴３１１に位置する。本体３１上下両端の表面に、それぞれ第１制限溝３２と第２制限溝３３を凹設し、第１制限溝３２の内部に第１突起部３４を凸設し、第１突起部３４は回転軸組２の押さえ溝２１３に位置し、第２制限溝３３の内部に第２突起部３５を凸設し、第２突起部３５は回転軸組２の制限溝２２３に位置する。
【００１４】
連桿組４は第１回転具４１と第２回転具４２と制限具４３とを含む。第１回転具４１表面の中央場所に第１接続穴４１１を設け、第１接続穴４１１を回転軸組２の第１軸部２１１の末端に常時接続していて、かつ第１回転具４１の表面には、第１接続穴４１１の一側に第１制限柱４１２を凸設し、第２回転具４２表面の中央場所に第２接続穴４２１を設ける。第２接続穴４２１を回転軸組２の第２軸部２２１の末端に常時接続していて、かつ第２回転具４２の表面には、第２接続穴４２１の一側に第２制限柱４２２を凸設する。制限具４３表面の両端は、それぞれに第１取付穴４３１と第２取付穴４３２を設け、第１制限柱４１２と第２制限柱４２２は、それぞれ第１取付穴４３１と第２取付穴４３２に位置する。第１取付穴４３１は第２取付穴４３２の端部付近場所に第１係止端４３１１を形成し、第２取付穴４３２の端部から離れる場所に第２係止端４３１２を形成する。かつ第１係止端４３１１と第２係止端４３１２との距離は第１制限柱４１２の外径より大きい。
【００１５】
引き続き、図１と図６ないし図９を参照する。使用者が上蓋９２をベース９１から離れる方向に捲るとき、第１回転軸２１に枢転力量を加えることによって、軸ブッシング１を第２回転軸２２に巡らす偏移力が引き起こされる。図７に示すように、第２突起部３５が第２側壁２２５に係止されているときに、第２突起部３５が第１側壁２２４と制限空間２２７を形成され、外力によって第１回転軸２１に枢転力量を加えると、第２突起部３５が第２側壁２２５に係止されていて、第１回転軸２１の押さえ溝２１３は第１突起部３４を押し込むことができないため、第１回転軸２１が摺動ブロック３と、軸ブッシング１を連動して第２回転軸２２に巡らして、第２突起部３５を制限溝２２３に沿って移動すると同時に、第１側壁２２４に係止し、第１側壁２２４に係止することによって、第２突起部３５と第２側壁２２５との間の間隔に移動空間２２６が形成される。このとき、第２突起部３５が第１側壁２２４の係止を受けて、第１回転軸２１は引き続き摺動ブロック３と軸ブッシング１を連動して第２回転軸２２に巡らせることによって、外力が第１回転軸２１に枢転力量を加えると、第１回転軸２１を枢転し、第１回転軸２１の押さえ溝２１３によって、第１突起部３４を押し込み、摺動ブロック３を第２側壁２２５の方向に移動させると共に、第２側壁２２５に係止し、第２突起部３５は第１側壁２２４と制限空間２２７が形成される。前述の操作を繰り返すことによって、第１回転軸２１を枢転させると共に、軸ブッシング１と摺動ブロック３が第２回転軸２２を巡らして回転する交互に働き、第１回転軸２１の枢転角度及び軸ブッシング１と、摺動ブロック３が第２回転軸２２を巡らす回転角度を制限することによって、電子製品９両側の回転軸装置１０における２つの第１回転軸２１の枢転角度の誤差及び２つの軸ブッシング１が第２回転軸２２を巡らす回転角度の誤差を一定範囲に維持され、上蓋９２両側とベース９１との間の角度に過大な誤差を形成せず、しかも回転軸装置１０はスムーズに回転され、過大な誤差による不要な摩耗を防ぐことができる。さらに、図９に示すとおり、第１回転軸２１が固定角度により枢転した後に、軸ブッシング１と摺動ブロック３が第２回転軸２２の一定角度を巡らせ両者が交互に作動し、上蓋９２を捲らしてベース９１と平行したとき、軸ブッシング１も上蓋９２及びベース９１の表面と平行状態を形成し、使用者は電子製品９を机の表面に張り付けて使用することができ、上蓋９２またはベース９１が机の表面に張り付けられないことハプニングを発生しない。さらに、上蓋９２をベース９１の底面位置に捲らしたとき、軸ブッシング１と上蓋９２とベース９１が垂直を形成して、上蓋９２とベース９１の縁部が整一となり、側面の突き出しは見られない。
【００１６】
引き続き、図１と図６ないし図１１を参照する。第１回転軸２１が枢転するときに、第１回転具４１を連動して枢転することによって、第１制限柱４１２と第２制限柱４２２との間の距離が次第に大きくなり、第１回転軸２１が第２回転軸２２を巡らすことによって、第１制限柱４１２と第２制限柱４２２との間距離が次第に小さくなり、第２突起部３５が第２側壁２２５に係止されているとき、第２突起部３５が第１側壁２２４と制限空間２２７を形成し、連桿組４の第１制限柱４１２が第１係止端４３１１に係止される。外力から第１回転軸２１に加える枢転力量は、第２突起部３５が第２側壁２２５に係止されているため、第１回転軸２１の押さえ溝２１３が第１突起部３４を押し込むことはできなく、第１制限柱４１２が第１係止端４３１１によって係止され、第２制限柱４２２に近寄せることはできず、第１回転軸２１は回転できなくなり、第１回転軸２１によって、軸ブッシング１と摺動ブロック３を連動し第２回転軸２２を巡らして、第２突起部３５を第１側壁２２４に近寄せる。さらに、第１回転軸２１が第１回転具４１を連動し第２回転軸２２を巡らして、第１制限柱４１２と第２制限柱４２２との間の距離を増大させ、第１制限柱４１２を第２係止端４３１２に移動すると同時に、第２係止端４３１２に係止される。一方、第２突起部３５が第１側壁２２４の係止を受けると同時に、第１制限柱４１２も第２係止端４３１２に係止され、第１回転軸２１は引き続き摺動ブロック３と、軸ブッシング１を連動して第２回転軸２２を巡らせることはできない。よって、外力から第１回転軸２１に加える枢転力量によって、第１回転軸２１を枢転させ、第１回転軸２１の押さえ溝２１３が第１突起部３４を押し込み、摺動ブロック３を第２側壁２２５の方向に移動して第２側壁２２５に係止されると、第２突起部３５は第１側壁２２４と制限空間２２７を形成し、第１回転軸２１が第１回転具４１を連動して枢転することによって、第１制限柱４１２と第２制限柱４２２との間の距離を次第に増大させて、第１制限柱４１２を第１係止端４３１１に係止する。前述動作を繰り返すことによって、第１回転軸２１を枢転させ、軸ブッシング１と摺動ブロック３が第２回転軸２２を巡らせて回転するように交互に作動される。本発明は連桿組４を設けることによって、仮に押さえ溝２１３または制限溝２２３の摩損によって誤差が発生していても、連桿組４はなお第１回転軸２１の枢転角度及び軸ブッシング１と摺動ブロック３が第２回転軸２２を巡らせる回転角度を精確に制限することができ、電子製品９両側の回転軸装置１０において、２つの第１回転軸２１の枢転角度の誤差及び２つの軸ブッシング１が第２回転軸２２を巡らせる回転角度の誤差を一定範囲に維持し、上蓋９２両側とベース９１との間に過大な角度誤差を防げる。
【符号の説明】
【００１７】
１０、１０’            回転軸装置
１                      軸ブッシング
１１                    基部
１２                    第１押さえ部
１３                    第１回転軸空間
１４                    第１切欠き部
１５                    第２押さえ部
１６                    第２回転軸空間
１７                    第２切欠き部
２                      回転軸組
２１                    第１回転軸
２１１                  第１軸部
２１２                  第１案内部
２１３                  押さえ溝
２２                    第２回転軸
２２１                  第２軸部
２２２                  第２案内部
２２３                  制限溝
２２４                  第１側壁
２２５                  第２側壁
２２６                  移動区間
２２７                  制限空間
２３                    第１固定具
２３１、２４１、２５１  第１取付穴
２３２、２４２、２５２  第２取付穴
２４                    第２固定具
２５                    第３固定具
２６                    固定ロッド
３                      摺動ブロック
３１                    本体
３１１                  案内穴
３２                    第１制限溝
３３                    第２制限溝
３４                    第１突起部
３５                    第２突起部
４                      連稈組
４１                    第１回転具
４１１                  第１接続穴
４１２                  第１制限柱
４２                    第２回転具
４２１                  第２接続穴
４２２                  第２制限柱
４３                    制限具
４３１                  第１取付穴
４３１１                第１係止端
４３１２                第２係止端
４３２                  第２取付穴
９                      電子製品
９１                    ベース
９２                    上蓋